(57)【要約】【課題】耐落下性及び再梱包性を確保しつつ開封性を向上させることができるラップアラウンドケースを得る。【解決手段】ラップアラウンドケース１０は、互いに対向する天面板２８及び底面板３２と、互いに対向する正面板３４及び背面板３０と、互いに対向する一対の側面板１６とを備えると共に、天面板２８と一対の側面板１６とがなす稜線３５に沿ってミシン目状の破断部３６が形成されたケース本体部１２と、天面板２８から底面板３２側へ延出されて正面板３４に重ね合わされると共に、正面板３４の天面板２８側の縁部における側面板１６の対向方向の中央に対して一端側又は他端側にオフセットした位置に形成された切欠部３４Ａとの間に隙間３８を形成する継ぎ代部１４と、を有する。【選択図】図１
2016098027.tif 000002
【特許請求の範囲】
【請求項１】
互いに対向する天面板及び底面板と、互いに対向する正面板及び背面板と、互いに対向する一対の側面板とを備えると共に、該天面板と該一対の側面板とがなす稜線に沿ってミシン目状の破断部が形成されたケース本体部と、
前記天面板から前記底面板側へ延出されて前記正面板に重ね合わされると共に、前記正面板の前記天面板側の縁部における前記側面板の対向方向の中央に対して一端側又は他端側にオフセットした位置に形成された切欠部の前記底面板側の縁部との間に隙間を形成する継ぎ代部と、
を有するラップアラウンドケース。
【請求項２】
前記継ぎ代部は、前記正面板の前記背面板と対向する側の面に重ね合わされており、
前記継ぎ代部における前記切欠部から露出した部分は、他の部分よりも前記天面板からの長さが短く形成されている請求項１に記載のラップアラウンドケース。
【請求項３】
少なくとも前記切欠部がオフセットされた側の前記破断部は、前記正面板側の方が前記背面板側よりも強度が弱く形成されている請求項１又は請求項２に記載のラップアラウンドケース。
【請求項４】
前記破断部は、前記稜線に沿って配列された複数の切込部を含んで構成されており、
前記切込部のピッチは、前記正面板側の方が前記背面板側よりも狭いピッチで形成されている請求項３に記載のラップアラウンドケース。
【請求項５】
前記破断部は、前記稜線に沿って配列された複数の切込部を含んで構成されており、
前記切込部の前記稜線に沿った長さは、前記正面板側の方が前記背面板側よりも長く形成されている請求項３又は請求項４に記載のラップアラウンドケース。
【請求項６】
前記切欠部は、前記正面板における前記側面板の対向方向の中央に対して一端側及び他端側の両側に形成されている請求項１〜請求項５の何れか１項に記載のラップアラウンドケース。
【請求項７】
前記切欠部の前記底面板側の縁部は、円弧状に形成されている請求項１〜請求項６の何れか１項に記載のラップアラウンドケース。
【請求項８】
複数の記録テープカートリッジが収容される請求項１〜請求項７の何れか１項に記載のラップアラウンドケース。
【発明の詳細な説明】
【技術分野】
【０００１】
本発明は、ラップアラウンドケースに関する。
【背景技術】
【０００２】
輸送する製品等を収容するためのラップアラウンドケース（ラップラウンドケース）として、特許文献１には、互いに対向する天面板及び底面板と、互いに対向する一対の側壁（側面板）とが連設された段ボール箱が開示されている。ここで、特許文献１の段ボール箱では、封緘された状態で天面板及び天面板から底面板側へ延出された上側外フラップに連続して第一破断誘導線（ミシン目状の破断部）が形成されている。そして、段ボールは、第一破断誘導線に沿って天面板及び上側外フラップを切り離すことで開封できるように構成されている。また、上側外フラップの下方に突き合わされた下側外フラップの端縁の中央には、上側外フラップに手を掛けるための半円状の切欠部が形成されている。一方、特許文献２には、帯状の切取部を備えたラップアラウンドケースが開示されている。
【先行技術文献】
【特許文献】
【０００３】
【特許文献１】実用新案登録第３１７６４７５号公報
【特許文献２】特開２００４−５９０７３号公報
【発明の概要】
【発明が解決しようとする課題】
【０００４】
特許文献１のラップアラウンドケースでは、ミシン目を破断して開封する構成であるため、ケースが落下しても天面板が容易に開封されない構造となっている。しかしながら、上側外フラップに手を掛けて引き上げる際に、両側の破断部へ均等に荷重が分散されるため、開封性を向上させる観点から改善の余地がある。一方、特許文献２のように帯状の切取部を備えたラップアラウンドケースでは、この切取部の一端部を把持して引っ張るだけで開封できるが、切取部が切り離されるため、開封後に再梱包することができない。
【０００５】
本発明は、上記事実を考慮して、耐落下性及び再梱包性を確保しつつ開封性を向上させることができるラップアラウンドケースを得ることを目的とする。
【課題を解決するための手段】
【０００６】
上記課題を解決するため、本発明に係るラップアラウンドケースは、互いに対向する天面板及び底面板と、互いに対向する正面板及び背面板と、互いに対向する一対の側面板とを備えると共に、天面板と一対の側面板とがなす稜線に沿ってミシン目状の破断部が形成されたケース本体部と、天面板から底面板側へ延出されて正面板に重ね合わされると共に、正面板の天面板側の縁部における側面板の対向方向の中央に対して一端側又は他端側にオフセットした位置に形成された切欠部の底面板側の縁部との間に隙間を形成する継ぎ代部と、を有する。
【発明の効果】
【０００７】
本発明によれば、耐落下性及び再梱包性を確保しつつ開封性を向上させることができる。
【図面の簡単な説明】
【０００８】
【図１】第１実施形態に係るラップアラウンドケースを正面側の斜め上方から見た斜視図である。
【図２】第１実施形態に係るラップアラウンドケースの展開図である。
【図３】第１実施形態に係るラップアラウンドケースの正面図である。
【図４】第１実施形態に係るラップアラウンドケースの天面板と側面板との間の稜線を拡大して示す要部拡大斜視図である。
【図５】第１実施形態に係るラップアラウンドケースを開封している状態を作業者を省略して示す、図１に対応する斜視図である。
【図６】第１実施形態に係るラップアラウンドケースが開封された状態を示す、図１に対応する斜視図である。
【図７】第２実施形態に係るラップアラウンドケースを示す、図１に対応する斜視図である。
【図８】第３実施形態に係るラップアラウンドケースを示す、図１に対応する斜視図である。
【図９】第４実施形態に係るラップアラウンドケースを示す、図１に対応する斜視図である。
【図１０】変形例の係るラップアラウンドケースを示す、図４に対応する斜視図である。
【発明を実施するための形態】
【０００９】
以下、図面に基づいて本発明に係る実施の形態を説明する。なお、各図に示される矢印Ｌは、ラップアラウンドケースを封緘した状態（封緘状態）で水平面に載置した際の背面側から正面側へ向かう奥行方向を示し、矢印Ｗはラップアラウンドケースを正面から見て右側から左側へ向かう幅方向を示し、矢印ＵＰは底面側から天面側へ向かう上下方向を示している。
【００１０】
＜第１実施形態＞
図１〜図６に基づいて本発明の第１実施形態に係るラップアラウンドケース（ラップラウンドケース）について説明する。図１に示されるように、本実施形態のラップアラウンドケース１０は、封緘状態（製品が収容されて組み立てられた状態）で略箱状のケース本体部１２を備えている。ここで、本実施形態では一例として、厚みが均一な紙製又はプラスチック製の段ボールシートを用いてラップアラウンドケース１０が形成されている。また、本実施形態のラップアラウンドケース１０は、図６に示されるように、複数の記録テープカートリッジ１００が収容されるものである。詳細には、ラップアラウンドケース１０の大きさは、５つの記録テープカートリッジ１００が収容できる大きさに形成されている。ここで、記録テープカートリッジ１００は、単一のリールに磁気テープ等の記録テープが巻装されて、扁平直方体状のケース内に収容されて構成されている。また、それぞれの記録テープカートリッジ１００は、扁平直方体状の容器に収容された状態で重ね合わされており、隙間なくラップアラウンドケース１０内に収容されている。なお、本発明はこれに限らず、６つ以上の記録テープカートリッジ１００を収容できる大きさに形成してもよく、４つ以下の記録テープカートリッジが収容できる大きさに形成してもよい。また、記録テープカートリッジ以外の製品を収容するためのケースとして用いてもよい。
【００１１】
（全体構成）
ケース本体部１２は、図１及び図２に示されるように、主として、天面板２８、背面板３０、底面板３２、正面板３４、及び一対の側面板１６とを含んで構成されている。そして、本実施形態では、図２に示されるように、天面板２８と背面板３０と底面板３２と正面板３４とが連設されている。ここで、天面板２８、背面板３０、底面板３２、及び正面板３４は、展開状態において平面視でそれぞれ略矩形状に形成されている。また、正面板３４には切欠部３４Ａが形成されている。切欠部３４Ａの詳細については後述する。
【００１２】
図２の一点鎖線で示すように、天面板２８と背面板３０との間、背面板３０と底面板３２との間、及び底面板３２と正面板３４との間にはそれぞれ、折り線Ｌ１が設定されている。また、天面板２８と後述する継ぎ代部１４との間にも折り線Ｌ１が設定されている。なお、折り線Ｌ１には、折り曲げを容易にするための罫線加工を施してもよい。後述する折り線Ｌ２及び折り線Ｌ３も同様である。
【００１３】
図１に示されるように、封緘状態では、天面板２８と底面板３２とが上下方向に互いに対向している。また、正面板３４と背面板３０とが奥行方向に互いに対向している。さらに、一対の側面板１６が幅方向に互いに対向している。
【００１４】
ここで、側面板１６は、上部に配置された上側外フラップ２０と、下部に配置された下側外フラップ２２とを含んで構成されており、それぞれの側面板１６の幅方向内側には、内板１８が設けられている。また、本実施形態では、上側外フラップ２０と下側外フラップ２２とが上下に突き合わされている。なお、上側外フラップ２０と下側外フラップ２２との間に隙間が設けられていてもよい。
【００１５】
図２に示されるように、上側外フラップ２０は、天面板２８の幅方向両側に一対設けられており、それぞれ先端側の角部が丸められた略矩形状に形成されている。また、一対の上側外フラップ２０と天面板２８との間には、ミシン目状の破断部３６が形成されている。破断部３６は、上側外フラップ２０が折り曲げられた状態で天面板２８と側面板１６とがなす稜線３５に沿って形成されている（図１参照）。破断部３６の詳細については後述する。
【００１６】
一方、下側外フラップ２２は、底面板３２の幅方向両側に一対設けられており、それぞれ先端側の角部が丸められた略矩形状に形成されている。また、一対の下側外フラップ２２と底面板３２との間には、折り線Ｌ３が形成されており、この折り線Ｌ３に沿って下側外フラップ２２が折り曲げられるように構成されている。
【００１７】
背面板３０の幅方向両側には、内板１８の背面側を構成する背面側内フラップ２６が一対設けられている。一対の背面側内フラップ２６はそれぞれ、先端側の角部が丸められた略矩形状に形成されている。また、一対の背面側内フラップ２６と背面板３０との間には、折り線Ｌ２が形成されており、この折り線Ｌ２に沿って背面側内フラップ２６が折り曲げられるように構成されている。
【００１８】
正面板３４の幅方向両側には、内板１８の正面側を構成する正面側内フラップ２４が一対設けられている。一対の正面側内フラップ２４はそれぞれ、先端側の角部が丸められた略台形状に形成されている。詳細には、正面側内フラップ２４の底面板３２側（封緘状態で下側）の辺が幅方向に沿って延在されているのに対して、反対側（封緘状態で上側）の辺は、正面板３４から先端側へ向かって底面板３２側へ傾斜された傾斜部３４Ｂとされている。また、一対の正面側内フラップ２４と正面板３４との間には、折り線Ｌ２が形成されており、この折り線Ｌ２に沿って正面側内フラップ２４が折り曲げられるように構成されている。
【００１９】
図１に示されるように、封緘状態では、背面側内フラップ２６及び正面側内フラップ２４は、上側外フラップ２０及び下側外フラップ２２よりも幅方向内側で折り線Ｌ２に沿って折り曲げられている。また、背面側内フラップ２６及び正面側内フラップ２４は、背面板３０の両端縁及び正面板３４の両端縁から互いに対向する方向へ延出されている。なお、背面側内フラップ２６と正面側内フラップ２４との間に隙間が設けられていてもよい。
【００２０】
上側外フラップ２０及び下側外フラップ２２は、破断部３６及び折り線Ｌ３に沿って折り曲げられており、天面板２８の両端縁及び底面板３２の両端縁から互いに対向する方向へ延出されている。詳細には、天面板２８の幅方向両端縁から下方へ上側外フラップ２０が延出されており、底面板３２の幅方向両端縁から上方へ下側外フラップ２２が延出されている。そして、この上側外フラップ２０及び下側外フラップ２２が背面側内フラップ２６及び正面側内フラップ２４に接着剤等で接着されることで、側面板１６が構成されている。なお、図１では、右側の側面板１６のみが図示されているが、左側も同様に側面板１６が構成されている（図３参照）。
【００２１】
（継ぎ代部及び切欠部）
次に、天面板２８に連設された継ぎ代部１４、及び正面板３４に形成された切欠部３４Ａについて説明する。図２に示されるように、継ぎ代部１４は、天面板２８の背面板３０とは反対側の端部に連設されており、展開状態における平面視で、先端側の角部が丸められた細長い略矩形状とされている。また、継ぎ代部１４と天面板２８との間には、折り線Ｌ１が形成されており、この折り線Ｌ１に沿って継ぎ代部１４が折り曲げられるように構成されている。
【００２２】
ここで、図１に示されるように、封緘状態では、継ぎ代部１４が折り線Ｌ１に沿って折り曲げられており、天面板２８における正面板３４側の端縁から底面板３２へ向かって下方へ延出されている。また、本実施形態では、継ぎ代部１４が正面板３４の内側（背面板３０側）の面に重ね合わされており、この継ぎ代部１４を介して天面板２８と正面板３４とが組み合わされている。
【００２３】
継ぎ代部１４の幅方向の長さは、天面板２８と略同一の長さに形成されており、封緘状態における継ぎ代部１４の上下方向の長さ（丈）は、正面板３４の上下方向の長さの半分よりも短く形成されている。なお、継ぎ代部１４の上下方向の長さは、特に限定せず、正面板３４の内側から容易に抜けない長さを確保しつつ、封緘時に正面板３４の内側へ差し込む作業性を損なわない長さであればよい。
【００２４】
ここで、継ぎ代部１４には、先端側の端縁を切欠いて丈短部１４Ａが形成されている。丈短部１４Ａは、図３に示されるように、継ぎ代部１４の他の部分（一般部）よりも上下方向の長さ（丈）が短く形成されている。また、丈短部１４Ａは、正面視で後述する切欠部３４Ａから露出した部分に形成されており、本実施形態では下端（先端）側の一部を略矩形状に切欠いた形状に形成されている。また、丈短部１４Ａの幅方向の長さは、切欠部３４Ａの幅よりも若干長く形成されている。
【００２５】
正面板３４の上縁部（天面板２８側の縁部）には、切欠部３４Ａが形成されている。切欠部３４Ａの縁部は、正面視で上向きに開口する略Ｕ字状に形状されている。すなわち、切欠部３４Ａの下縁部（底面板３２側の縁部）は、略円弧状に形成されている。
【００２６】
ここで、切欠部３４Ａは、正面板３４の幅方向（側面板１６の対向方向）の中心線ＣＬ（中央）に対して右側にオフセットした位置に形成されている。また、切欠部３４Ａは、継ぎ代部１４に形成された丈短部１４Ａの下端部よりも下方まで形成されている。このため、切欠部３４Ａと丈短部１４Ａ（継ぎ代部１４）との間には、隙間３８が形成されている。なお、ここでいう「オフセットした位置に形成されている」とは、切欠部３４Ａの幅方向の中心が正面板３４の幅方向の中央に対して右側（一端側）又は左側（他端側）にオフセットされた位置に形成された構成を含む概念である。すなわち、切欠部３４Ａの幅方向の中心線Ｄが正面板３４の幅方向の中心線ＣＬに対して右側又は左側にオフセットされていれば、中心線ＣＬを跨ぐ位置に切欠部３４Ａを形成してもよい。
【００２７】
（破断部）
次に、上側外フラップ２０と天面板２８との間に形成されたミシン目状の破断部３６について説明する。図１に示されるように、破断部３６は、封緘状態で天面板２８と側面板１６との間の稜線３５に沿ってミシン目状に形成されている。詳細には、破断部３６は、天面板２８と側面板１６との間の稜線３５に沿って奥行方向に配列された切込部３７によって構成されている。また、それぞれの切込部３７は、稜線３５に沿って直線状に延びた部分と正面側且つ幅方向内側に延出された部分とを含んで略Ｌ字状に形成されている。ここで、破断部３６の正面板３４側は、狭ピッチ部３６Ａとされており、破断部３６の背面板３０側は、広ピッチ部３６Ｂとされている。
【００２８】
図４に示されるように、破断部３６の正面板３４側の狭ピッチ部３６Ａにおける切込部３７の間隔（ピッチ）Ｐ１は、背面板３０側の広ピッチ部３６Ｂにおける切込部３７の間隔（ピッチ）Ｐ２よりも狭く形成されており、本実施形態では半分程度の間隔とされている。また、狭ピッチ部３６Ａよりも正面板３４側には、天面板２８及び側面板１６における正面側の端部まで連続して切り込まれた端部切込部３６Ｃが形成されている。ここで、本実施形態では、端部切込部３６Ｃの背面側の端部から３つ目の切込部３７までが狭ピッチ部３６Ａとされており、狭ピッチ部３６Ａよりも背面側が広ピッチ部３６Ｂとされている。
【００２９】
（作用及び効果）
次に、本実施形態の作用及び効果について説明する。
【００３０】
本実施形態のラップアラウンドケース１０では、図１に示されるように、封緘状態でミシン目状の破断部３６を介して天面板２８と上側外フラップ２０（側面板１６）とが繋がっている。これにより、ラップアラウンドケース１０が落下した場合であっても、落下の衝撃で天面板２８が開封されるのを抑制することができる。すなわち、天面板２８と側面板１６とが繋がっていない構造と比較して、耐落下性を確保することができる。
【００３１】
また、本実施形態のラップアラウンドケース１０では、継ぎ代部１４の丈短部１４Ａに手を掛けて引き上げることで、容易に開封することができる。以下、この作用並びに効果について、開封時の作業手順に沿って説明する。なお、以下の説明では、作業者が開封する場合について説明するが、これに限らず、機械や他の道具を用いて開封する場合も同様である。
【００３２】
封緘状態のラップアラウンドケース１０を開封する際には、作業者が継ぎ代部１４の丈短部１４Ａに手を掛けて天面板２８を引き上げることで、破断部３６を破断させる。このとき、図３に示されるように、継ぎ代部１４と切欠部３４Ａとの間に手掛け用の隙間３８が形成されているので、作業者が隙間３８に手を入れて継ぎ代部１４を引き上げることができる。すなわち、隙間３８が形成されていない構成と比較して、開封時の作業性を向上させることができる。
【００３３】
また、図４に示されるように、破断部３６の正面側には端部切込部３６Ｃが形成されている。このため、継ぎ代部１４を引き上げると、天面板２８の端部切込部３６Ｃが形成された部分が持ち上げられる。これにより、端部切込部３６Ｃが繋がっている構成と比較して、開封し易くなる。
【００３４】
ここで、図３に示されるように、切欠部３４Ａが正面板３４の中心線ＣＬ（中央）に対して右側にオフセットした位置に形成されている。このため、天面板２８を引き上げる際に両側の破断部３６へ作用する荷重のうち、より多くの荷重が右側の破断部３６へ作用する。このようにして、右側の破断部３６に荷重を集中させることで、図５に示されるように、右側の破断部３６が先に破断され、天面板２８の右側の部分が開封され始める。また、破断部３６の正面板３４側は、狭ピッチ部３６Ａとなっているので、背面板３０側の広ピッチ部３６Ｂと比較して破断部３６の強度が弱くなっている。これにより、開封に必要な荷重を低減することができる。
【００３５】
右側が開封されることで、天面板２８が持ち上げられ、これに伴って左側の破断部３６についても破断され始める。この時点では、天面板２８の一部が引き上げられているので、小さい荷重で破断部３６を破断することができる。このようにして、右側（一方）の破断部３６に荷重を集中させて破断させた後、左側（他方）の破断部３６を破断させて開封する構成とすることにより、開封性を向上させることができる。
【００３６】
ここで、切欠部３４Ａが正面板３４の中心線ＣＬ（中央）の位置に形成された構成について考えると、このような構成の場合、両側の破断部３６へ略均等に荷重が分散されることとなる。このため、開封時には、両側の破断部３６を一度に破断するのに要する荷重が必要となる。これに対して、本実施形態のラップアラウンドケース１０では、一方の破断部３６に荷重を集中させることで、両側の破断部３６を一度に破断する場合と比べて小さい荷重で破断部３６を破断させることができる。
【００３７】
図６に示されるように、右側の破断部３６及び左側の破断部３６が破断されることで、ラップアラウンドケース１０の開封が完了する。ここで、本実施形態のラップアラウンドケース１０では、天面板２８と背面板３０とが繋がっており、ケース本体部１２から切り離される部分が無いので、開封時に余計なゴミが排出されることがない。また、正面側内フラップ２４の上部の辺が傾斜部３４Ｂとなっているので、開封された状態から記録テープカートリッジ１００を取り出す際に、正面側内フラップ２４と背面側内フラップ２６との間に指を入れて記録テープカートリッジ１００を取り出すことができる。すなわち、本実施形態のように隙間無く記録テープカートリッジ１００が収容されている場合であっても、記録テープカートリッジ１００を取り出し易い構成となっている。
【００３８】
また、例えば、使用済みの記録テープカートリッジ１００等を収容した後、継ぎ代部１４を正面板３４の内側に差し込むことで、再梱包することができる。すなわち、再梱包性を確保したラップアラウンドケース１０となっている。
【００３９】
以上のように、本実施形態のラップアラウンドケース１０は、耐落下性及び再梱包性を確保しつつ、開封性を向上させることができる。
【００４０】
また、本実施形態のラップアラウンドケース１０では、図３に示されるように、切欠部３４Ａの下縁部が略円弧状に形成されている。これにより、切欠部３４Ａを略矩形状に切欠いた構成と比較して、手掛け用の隙間３８を確保しつつ、ケース本体部１２の内部が露出するのを抑えることができる。
【００４１】
さらに、本実施形態のように右側（一方）の破断部３６に荷重を集中させて破断部３６を破断する構成とすることで、天面板２８の厚みが薄い場合であっても、破断部３６が破断する前に天面板２８が山型に変形するのを回避又は抑制することができる。
【００４２】
＜第２実施形態＞
次に、図７に基づいて本発明の第２実施形態に係るラップアラウンドケース（ラップラウンドケース）について説明する。本実施形態のラップアラウンドケースは、切欠部の形状を略矩形状とした点を特徴としている。なお、第１実施形態と同様の構成については同じ符号を付し、適宜説明を省略する。
【００４３】
図７に示されるように、本実施形態のラップアラウンドケース５０は、互いに対向する天面板２８及び底面板３２と、互いに対向する正面板５４及び背面板３０と、互いに対向する一対の側面板１６とを備えた略筒状のケース本体部５２を含んで構成されている。ここで、正面板５４における上縁部（天面板２８側の縁部）には、正面板５４の幅方向（側面板１６の対向方向）の中心線ＣＬ（中央）に対して右側にオフセットした位置に切欠部５４Ａが形成されている。
【００４４】
切欠部５４Ａは、正面板５４における上縁部の一部を正面視で略矩形状に切欠いた形状に形成されている。また、継ぎ代部１４には、切欠部５４Ａと重なる位置に丈短部１４Ａが形成されており、切欠部５４Ａと継ぎ代部１４との間に隙間５６が形成されている。
【００４５】
以上のように構成された本実施形態のラップアラウンドケース５０では、第１実施形態のラップアラウンドケース１０と同様の作用並びに効果を奏する。
【００４６】
なお、本実施形態では、切欠部５４Ａの隅部５４Ｂに荷重が集中した際に、この隅部５４Ｂを起点として正面板５４が折れ曲がらないようにするために、正面板５４の厚みを厚くする等の工夫をしてもよい。また、隅部５４Ｂを滑らかな略円弧状（Ｒ形状）に形成してもよい。
【００４７】
＜第３実施形態＞
次に、図８に基づいて本発明の第３実施形態に係るラップアラウンドケース（ラップラウンドケース）について説明する。本実施形態のラップアラウンドケースは、複数の切欠部を備えた点を特徴としている。なお、第１実施形態と同様の構成については同じ符号を付し、適宜説明を省略する。
【００４８】
図８に示されるように、本実施形態のラップアラウンドケース６０は、互いに対向する天面板２８及び底面板３２と、互いに対向する正面板６６及び背面板３０と、互いに対向する一対の側面板１６とを備えた略筒状のケース本体部６２を含んで構成されている。ここで、正面板６６における上縁部（天面板２８側の縁部）には、正面板６６の幅方向（側面板１６の対向方向）の中心線ＣＬ（中央）を挟んで両端側に切欠部６６Ａ及び切欠部６６Ｂが形成されている。
【００４９】
切欠部６６Ａは、第１実施形態の切欠部３４Ａと同様に、正面板６６の幅方向の中心線ＣＬに対して右側にオフセットした位置に形成されている。一方、切欠部６６Ｂは、正面板６６の幅方向の中心線ＣＬに対して左側にオフセットした位置に形成されている。また、切欠部６６Ａ及び切欠部６６Ｂの形状は、第１実施形態と同様に、正面視で長円の上半分を切断した形状とされている。
【００５０】
また、継ぎ代部６４における切欠部６６Ａと重なる位置には、丈短部６４Ａが形成されており、継ぎ代部６４と切欠部６６Ａとの間に隙間６７が形成されている。一方、継ぎ代部６４における切欠部６６Ｂと重なる位置には、丈短部６４Ｂが形成されており、継ぎ代部６４と切欠部６６Ｂとの間に隙間６８が形成されている。また、丈短部６４Ａ及び丈短部６４Ｂの形状は、第１実施形態と同様の形状とされている。
【００５１】
以上のように構成された本実施形態のラップアラウンドケース６０では、ラップアラウンドケース６０の開封時に、作業者が手を掛ける切欠部を選択することができる。すなわち、利き手が右手の作業者であれば、右側の切欠部６６Ａと継ぎ代部６４との間の隙間６７に手を掛け、利き手が左手の作業者であれば、左側の切欠部６６Ｂと継ぎ代部６４との間の隙間６８に手を掛けてラップアラウンドケース６０を開封することができる。その他の作用並びに効果については、第１実施形態と同様である。
【００５２】
なお、切欠部６６Ａの位置は、正面板６６の幅方向の中心線ＣＬに対して右側にオフセットした位置であれば特に限定しない。また、切欠部６６Ｂの位置は、正面板６６の幅方向の中心線ＣＬ対して左側にオフセットした位置であれば特に限定しない。さらに、切欠部の大きさや形状についても特に限定せず、例えば、一部の切欠部を正面視で略矩形状に形成してもよい。また、切欠部の大きさを小さくしてもよく、切欠部の数を増やしてもよい。例えば、正面板６６の幅方向の中心線ＣＬに対して右側にオフセットした位置に２つ以上の切欠部を形成してもよい。
【００５３】
＜第４実施形態＞
次に、図９に基づいて本発明の第４実施形態に係るラップアラウンドケース（ラップラウンドケース）について説明する。本実施形態のラップアラウンドケースは、継ぎ代部に丈短部が形成されておらず、正面板の切欠部が継ぎ代部よりも深くなっている点を特徴としている。なお、第１実施形態と同様の構成については同じ符号を付し、適宜説明を省略する。
【００５４】
図９に示されるように、本実施形態のラップアラウンドケース７０は、互いに対向する天面板２８及び底面板３２と、互いに対向する正面板７６及び背面板３０と、互いに対向する一対の側面板１６とを備えた略筒状のケース本体部７２を含んで構成されている。ここで、正面板７６における上縁部（天面板２８側の縁部）には、正面板７６の幅方向（側面板１６の対向方向）の中心線ＣＬに対して右側にオフセットした位置に切欠部７６Ａが形成されている。
【００５５】
切欠部７６Ａは、第１実施形態の切欠部３４Ａと同様の位置に形成されており、正面視で長円の上半分を切断した形状とされている。また、切欠部７６Ａは、第１実施形態の切欠部３４Ａよりも下方まで切欠かれており、本実施形態では、継ぎ代部７４の下端部よりも下方まで切欠かれている。
【００５６】
一方、継ぎ代部７４は、両端部の角が丸められた部位を除いて、上下方向の長さ（丈）が一定に形成されており、継ぎ代部７４における切欠部７６Ａと重なる位置には、丈短部が形成されていない。そして、継ぎ代部７４と切欠部７６Ａとの間には、隙間７８が形成されている。
【００５７】
以上のように構成された本実施形態のラップアラウンドケース７０では、継ぎ代部７４に丈短部を形成することなく、作業者が開封時に手を入れる隙間７８に形成することができる。その他の作用並びに効果については、第１実施形態と同様である。
【００５８】
（その他の実施例）
以上、第１実施形態〜第４実施形態に係るラップアラウンドケースについて説明したが、本発明は、上記の実施形態に限定されるものではなく、要旨を逸脱しない範囲において種々変更可能である。例えば、図３において、切欠部３４Ａは、正面板３４の幅方向の中心線ＣＬに対して右側にオフセットした位置に形成されているが、これに限らず、中心線ＣＬに対して左側にオフセットした位置に形成してもよい。
【００５９】
また、継ぎ代部１４は、封緘状態で正面板３４の内側に差し込まれているが、本発明はこれに限定されない。例えば、継ぎ代部１４を正面板３４の外側に接着剤等で接着（接合）してもよい。この場合、例えば、継ぎ代部１４を正面板３４から剥離した後に、この継ぎ代部１４を掴んで天面板を引き上げて開封すればよい。また、開封後、継ぎ代部１４を正面板３４の内側に差し込むことで、再梱包することができる。
【００６０】
さらに、上記の実施形態では、図４に示されるように、端部切込部３６Ｃの背面側の端部から３つ目の切込部までが狭ピッチ部３６Ａとされているが、本発明はこれに限定されない。例えば、端部切込部３６Ｃの背面側の端部から１つ目の切込部までを狭ピッチ部３６Ａとしてもよい。また、逆に、４つ目の切込部よりも背面側までを狭ピッチ部３６Ａとして、天面板２８と側面板１６との間の稜線３５のうちの半分以上の領域が狭ピッチ部３６Ａとされていてもよい。さらに、端部切込部３６Ｃを形成せずに、正面側の端部まで狭ピッチ部３６Ａが形成された構成としてもよい。
【００６１】
また、天面板２８の幅方向両側の破断部３６に狭ピッチ部３６Ａを形成するのが好ましいが、本発明はこれに限定されない。例えば、切欠部３４Ａと近接している破断部３６のみに狭ピッチ部３６Ａを形成してもよい。この場合であっても、開封時に先に破断される破断部３６に狭ピッチ部３６Ａが形成されているため、開封性が低下するのを抑制することができる。
【００６２】
さらに、上記の実施形態では、天面板２８の正面側に狭ピッチ部３６Ａを形成することで、正面側の破断部３６の強度を背面側の破断部３６の強度よりも弱くなるように形成しているが、本発明はこれに限定されない。例えば、図１０に示される破断部８０のように、破断部８０を構成する切込部８２及び切込部８４のピッチは同じピッチにして、破断部３６の正面側の切込部８４の切込長さの方が背面側の切込部８２の切込長さよりも長くしてもよい。この場合であっても、隣り合う切込部８４の間の繋がっている部分の長さＰ３が、隣り合う切込部８２の間の繋がっている部分の長さＰ４よりも短くなるので、破断部８０における正面側の強度を背面側の強度よりも弱くすることができる。すなわち、開封性を向上させることができる。また、図１０の構成において、切込部８４のピッチを切込部８２のピッチよりも狭くしてもよい。
【符号の説明】
【００６３】
１０        ラップアラウンドケース
１２        ケース本体部
１４        継ぎ代部
１６        側面板
２８        天面板
３０        背面板
３２        底面板
３４        正面板
３４Ａ      切欠部
３６        破断部
３７        切込部
３８        隙間
５０、６０、７０    ラップアラウンドケース
５２、６２、７２    ケース本体部
５４、６６、７６    正面板
５４Ａ、６６Ａ、６６Ｂ、７６Ａ    切欠部
５６、６７、６８、７８            隙間
６４、７４  継ぎ代部
８０        破断部
８２、８４  切込部
１００      記録テープカートリッジ
【図１】
2016098027.tif 000003
【図２】
2016098027.tif 000004
【図３】
2016098027.tif 000005
【図４】
2016098027.tif 000006
【図５】
2016098027.tif 000007
【図６】
2016098027.tif 000008
【図７】
2016098027.tif 000009
【図８】
2016098027.tif 000010
【図９】
2016098027.tif 000011
【図１０】
2016098027.tif 000012